(57)【要約】      （修正有）【課題】遊技空間を覆うカバーを開くことなく、遊技空間内の管理者所望の位置に景品を配置することができる遊技装置を提供する。【解決手段】回転軸を中心に回転するターンテーブル１０２と、回転軸側からターンテーブルの外周側に延出した固定テーブル１０４と、固定テーブルの外周側端部の下方に設置された景品払出口１０５と、固定テーブル上を景品払出口に近づき又は遠ざかるように往復移動するスライドテーブル１０６と、操作部により生成された操作信号に基づいて、ターンテーブル上に配置された景品を掬い上げると共に、スライドテーブル上に景品を落下させるショベル機構部と、光透過性の部材で遊技空間全体を覆うドーム形状に形成され、このドーム形状の外周方向における操作部１０７から所定距離離れた位置であり、かつターンテーブル近傍に設けられた開閉自在な開口蓋部を有する光透過性のカバーとを備える。【選択図】図１
0003145523.tif 000002
【実用新案登録請求の範囲】
【請求項１】
遊技者の操作に基づいて、遊技空間内に配置された景品を景品取出口から排出する遊技装置であって、
回転軸を中心に回転するターンテーブルと、
前記ターンテーブルの上方に配置され、前記回転軸側から前記ターンテーブルの外周側に延出した固定テーブルと、
前記固定テーブルの外周側端部の下方に設置され、前記景品取出口と連通された景品払出口と、
前記固定テーブル上を前記景品払出口に近づき又は遠ざかるように往復移動するスライドテーブルと、
前記遊技空間の外側に設置された操作部により前記遊技者の操作に応じて生成された操作信号に基づいて、前記ターンテーブル上に配置された前記景品を掬い上げると共に、前記スライドテーブル上に前記景品を落下させるショベル機構部と、
光透過性の部材で前記遊技空間全体を覆うドーム形状に形成され、このドーム形状の外周方向における前記操作部から所定距離離れた位置であり、かつ前記ドーム形状の上下方向における前記ターンテーブル近傍の位置に設けられた開口部を開閉自在になるように取り付けられた開口蓋部を有する光透過性のカバーと、
を備えることを特徴とする遊技装置。
【請求項２】
前記開口蓋部は、
光透過性の部材で形成され、前記開口部を覆うように配置される蓋本体部と、
前記カバーの表面に固定されると共に、前記蓋本体部の一辺を回動軸として前記蓋本体部を回動自在に支持する支持部と、
を備えることを特徴とする請求項１記載の遊技装置。
【請求項３】
前記開口部は、円形であることを特徴とする請求項１又は２記載の遊技装置。
【請求項４】
前記開口部は、矩形であることを特徴とする請求項１又は２記載の遊技装置。
【請求項５】
前記開口蓋部は、前記開口部を閉状態で施錠するための錠を有することを特徴とする請求項１〜４のうちいずれか１項記載の遊技装置。
【請求項６】
前記カバーは、
前記開口部と前記開口蓋部とを１組の開口扉部として、２組又は４組の前記開口扉部を備え、２組づつ前記ドーム形状の外周方向において対向する位置に備えられたことを特徴とする請求項１〜５のうちいずれか１項記載の遊技装置。
【考案の詳細な説明】
【技術分野】
【０００１】
本考案は、固定テーブル上をスライドテーブルが往復移動することにより、固定テーブル上に配置された景品を押し出して、景品払出口に払い出すプッシャー型の遊技装置に関する。
【背景技術】
【０００２】
昨今、ゲームセンター等の遊技施設には、例えば、特許文献１に記載されたようなプッシャー型の遊技装置が設置されることが多い。
【０００３】
このような一般的なプッシャー型の遊技装置は、回転するターンテーブルと、このターンテーブル上に配置された景品を掬い上げるショベルと、固定テーブルと、この固定テーブル上を景品払出口に近づき又は遠ざかるように往復移動するスライドテーブルと、ターンテーブル上部の遊技空間全体を覆う光透過性のカバーとを備えるものがある。そして、この一般的なプッシャー型の遊技装置は、遊技者の入力操作に基づいて、ターンテーブル上に配置された景品をショベルにより掬い上げ、固定テーブルの上に落下させる。固定テーブル上に落下した景品は、往復運動するスライドテーブルに押される。固定テーブル上の景品がスライドテーブルにより押されて固定テーブルから落下し景品払出口に投入された場合、利用者は、その景品を獲得できる構成となっている。
【０００４】
そして、ターンテーブル上に配置された景品がなくなる、又は少なくなると、この遊技装置の管理者がカバーを取り外した後、ターンテーブル上の所望の位置に景品を補充していた。
【０００５】
また、特許文献２には、景品を収納する景品収納部と、この景品収納部内を往復運動し、景品収納部内に収納された景品を景品収納部から排出する景品補充装置を備え、この景品補充装置が景品を排出することにより、ターンテーブル、固定テーブル、及びスライドテーブル上に景品を配置するプッシャー型の遊技装置が提案されている。
【特許文献１】特許３９９６３７６号公報
【特許文献２】特許３６２７８１３号公報
【考案の開示】
【考案が解決しようとする課題】
【０００６】
しかしながら、特許文献１に記載のプッシャー型の遊技装置では、景品を補充するために、この遊技装置の管理者がカバーを取り外す際、このカバーが遊技者にとって邪魔になるので、遊技者は、その間プレイを継続することが困難であった。
【０００７】
また、遊技装置の管理者が、遊技装置のカバーを取り外す際、片側を持ち上げた位置で固定し、景品を補充することも考えられる。しかしながら、このように、カバーの片側を持ち上げた位置で固定する場合においても、カバーの持ち上げられた側とそれに対向する側でプレイする遊技者にとって、このカバーが邪魔になるので、遊技者は、その間プレイを続行することが困難であった。
【０００８】
さらに、遊技者は、カバーが開いた状態でプレイを継続することに抵抗を感じ、その間プレイを停止したり、他の遊技装置に移動したりする場合があった。
【０００９】
また、特許文献２に記載の遊技装置では、景品補充装置が景品を排出することにより、ターンテーブル、固定テーブル、及びスライドテーブル上に景品を配置するので、管理者所望の場所に景品を配置することが困難であった。
【００１０】
本考案は、上記課題に鑑みてなされたものであり、遊技空間を覆うカバーを開くことなく、遊技空間内の管理者所望の位置に景品を配置することができる遊技装置を提案することを目的とする。
【課題を解決するための手段】
【００１１】
上記目的を達成するため、本考案に係る遊技装置の第１の特徴は、遊技者の操作に基づいて、遊技空間内に配置された景品を景品取出口から排出する遊技装置であって、回転軸を中心に回転するターンテーブルと、前記ターンテーブルの上方に配置され、前記回転軸側から前記ターンテーブルの外周側に延出した固定テーブルと、前記固定テーブルの外周側端部の下方に設置され、前記景品取出口と連通された景品払出口と、前記固定テーブル上を前記景品払出口に近づき又は遠ざかるように往復移動するスライドテーブルと、前記遊技空間の外側に設置された操作部により前記遊技者の操作に応じて生成された操作信号に基づいて、前記ターンテーブル上に配置された前記景品を掬い上げると共に、前記スライドテーブル上に前記景品を落下させるショベル機構部と、光透過性の部材で前記遊技空間全体を覆うドーム形状に形成され、このドーム形状の外周方向における前記操作部から所定距離離れた位置であり、かつ前記ドーム形状の上下方向における前記ターンテーブル近傍の位置に設けられた開口部を開閉自在になるように取り付けられた開口蓋部を有する光透過性のカバーとを備えることにある。
【００１２】
上記目的を達成するため、本考案に係る遊技装置の第２の特徴は、前記開口蓋部は、光透過性の部材で形成され、前記開口部を覆うように配置される蓋本体部と、前記カバーに固定されると共に、前記蓋本体部の一辺を回動軸として前記蓋本体部を回動自在に支持する支持部とを備えることにある。
【００１３】
上記目的を達成するため、本考案に係る遊技装置の第３の特徴は、前記開口部は、円形であることにある。
【００１４】
上記目的を達成するため、本考案に係る遊技装置の第４の特徴は、前記開口部は、矩形であることにある。
【００１５】
上記目的を達成するため、本考案に係る遊技装置の第５の特徴は、前記開口蓋部は、前記開口部が閉状態で施錠するための錠を有することにある。
【００１６】
上記目的を達成するため、本考案に係る遊技装置の第６の特徴は、前記カバーは、前記開口部と前記開口蓋部とを１組の開口扉部として、２組又は４組の前記開口扉部を備え、２組づつ前記ドーム形状の外周方向において対向する位置に備えられたことにある。
【考案の効果】
【００１７】
本考案に係る遊技装置によれば、遊技空間を覆うカバーを開くことなく、遊技空間内の管理者所望の位置に景品を配置することができる。
【考案を実施するための最良の形態】
【００１８】
以下、本考案を実施するための最良の形態について図面を参照して説明する。
【実施例１】
【００１９】
本考案の実施例１では、遊技装置を例に挙げて説明する。
【００２０】
図１は、本考案の実施例１である遊技装置の斜視図である。
【００２１】
図１に示すように、遊技装置１００は、複数の景品Ａ（図示しない）を配置するターンテーブル１０２と、ターンテーブル１０２に配置された景品Ａを掬い上げるショベル機構部１０３と、掬い上げた景品Ａを載置する固定テーブル１０４と、固定テーブル１０４に添って景品払出口１０５に近づき或いは遠ざかるように往復スライド移動するスライドテーブル１０６と、ショベル機構部１０３の操作部１０７と、景品Ａに外部から干渉できないように、遊技空間を覆う光透過性のカバー１とを備える。
【００２２】
ターンテーブル１０２は、円盤状の平板を備えており、この平板上に複数の景品Ａが載置される。そして、複数の景品Ａが載置された状態で回転軸Ｐを中心に所定平面上をゆっくりと回転する。
【００２３】
固定テーブル１０４は、ターンテーブル１０２の上方において台座１０１に固定され、回転軸Ｐ側からターンテーブル１０２の外周側に延出する平板である。固定テーブル１０４の外周側端部は、景品払出口１０５上方に達するように構成されている。
【００２４】
スライドテーブル１０６は、固定テーブル１０４上面に沿って景品払出口１０５に近づき或いは遠ざかるように往復スライド運動する平板である。なお、スライドテーブル１０６の駆動方法は公知の技術を適宜使用するものとし、ここでの説明は省略する。
【００２５】
操作部１０７は、遊技者の操作に基づいて、ショベル機構部１０３を動作させるための操作信号を生成する。具体的には、操作部１０７は、ショベル機構部１０３に始動させるための操作信号を生成する始動指示ボタン１０７ａと、固定テーブル１０４上に景品を落下させるための操作信号を生成する落下指示ボタン１０７ｂとを有している。
【００２６】
ショベル機構部１０３は、遊技者の操作に応じて操作部１０７により生成された操作信号に基づいて、アーム１０３ａをモータ（図示しない）によって回転させ、景品Ａを掬い上げることができる曲面を成すショベル１０３ｂでターンテーブル１０２に配置された景品Ａを掬い上げる。そして、遊技者の操作に応じて操作部１０７により生成された操作信号に基づいて、固定テーブル１０４上に掬い上げられた景品Ａを落下させる。
【００２７】
また、本考案の実施例１である遊技装置１００は、上述したショベル機構部１０３と、固定テーブル１０４と、スライドテーブル１０６と、操作部１０７と、景品払出口１０５とを一組として、計４個所のプレイポジションを上面視略十字に備える。従って、本考案の実施例１である遊技装置１００では同時に４人の遊技者がゲームを楽しむことができる。
【００２８】
図２は、本考案の実施例１である遊技装置１００を構成するターンテーブル１０２部分の構成を示した平面図である。なお、図２では、説明のため、ショベル機構部１０３等は省略してある。
【００２９】
図２に示すように、ターンテーブル１０２は、台座１０１の中央下部に固定されたモータ１０８によって支持されて回転軸Ｐを中心に、Ｒ方向に回転駆動される。
【００３０】
スライドテーブル１０６は、固定テーブル１０４上面に沿って景品払出口１０５に近づき或いは遠ざかるように、即ちＳ１方向及びＳ２方向に往復スライド移動を行う。
【００３１】
図３は、本考案の実施例１である遊技装置１００を構成するカバー１の拡大図である。
【００３２】
図３に示すように、カバー１は、光透過性の部材で遊技空間全体を覆うドーム形状に形成されており、このドーム形状表面のうちドーム形状の上下方向におけるターンテーブル１０２近傍の位置に開口部１１が設けられている。
【００３３】
ここで、ターンテーブル１０２近傍の位置とは、ドーム形状に形成されたカバー１の表面のうち、遊技装置１００の管理者が開口部１１から手を入れ、直近のターンテーブル１０２やスライドテーブル１０６に手が届く範囲である比較的下部の曲面のことを指す。例えば、ターンテーブル１０２の回転軸Ｐと一致するカバー１の法線Ｐを基準としたときに、４５°〜９０°の角度を有する曲面をターンテーブル１０２近傍の位置とする。
【００３４】
また、開口部１１は、操作部１０７からドーム形状の外周方向における所定距離だけ離れた位置に設けられている。即ち、遊技者の遊技の邪魔になることを避けるため、遊技者から見て正面に開口部１１が配置されないように、操作部１０７の正面とずれた位置、例えば２つの操作部１０７の間に設けられている。これにより、遊技装置１００の管理者は、開口部１１から手を入れることによって、ターンテーブル１０２や直近のスライドテーブル１０６に手が届くので、遊技者の遊技の邪魔をすることなく、ターンテーブル１０２上や直近のスライドテーブル１０６上の所望の位置に景品を配置したり、ターンテーブル１０２上や直近のスライドテーブル１０６上に配置された景品を所望の位置に再配置したりすることができる。
【００３５】
そして、カバー１には、開口部１１を開閉自在になるように光透過性の開口蓋部１２が取り付けられている。ここで、開口部１１と開口蓋部１２との組合せを開口扉部１０という。
【００３６】
開口蓋部１２は、開口部１１を覆うように配置される蓋本体部１２ａと、カバー１の表面であり、開口部１１の外周に沿った位置に固定されると共に、蓋本体部１２ａの一辺を回動軸として蓋本体部１２ａを回動自在に支持する支持部１２ｂとを備えている。
【００３７】
蓋本体部１２ａは、光透過性の部材で形成されており、支持部１２ｂにて支持されて回転自在に支持されるように、円形の一部が直線に切断された一辺を有している。
【００３８】
また、開口部１１に沿って支持部１２ｂに対向する側には錠１２ｃが設けられており、蓋本体部１２ａに設けられた錠１２ｃとが接合して施錠することができる。遊技装置１００の管理者は、錠１２ｃの開錠後に、開錠した鍵を摘んだまま持ち上げることにより蓋本体部１２ａを開閉させることができる。
【００３９】
このように、カバー１は、光透過性の部材で遊技空間全体を覆うドーム形状に形成され、このドーム形状の外周方向における操作部１０７から所定距離離れ、かつターンテーブル１０２近傍の位置に設けられた開口部１１を開閉自在になるように取り付けられた開口蓋部１２を有するので、遊技空間を覆うカバー１を取り外すことなく、遊技装置１００の管理者は、開口部１１から手を挿入することができる。これにより、遊技装置１００の管理者は、遊技者にプレイを中断させることなく、遊技空間内の所望の位置に景品を配置することができる。
【００４０】
＜プレイ動作＞
次に、本考案の実施例１である遊技装置１００におけるプレイ動作について説明する。
【００４１】
図４は、本考案の実施例１である遊技装置１００おけるプレイ動作について説明した図である。図４（ａ）は、待機位置にあるショベル機構部１０３を示した図であり、図４（ｂ）は、稼働位置にあるショベル機構部１０３を示した図である。
【００４２】
図４（ａ）に示すように、ショベル機構部１０３のアーム１０３ａは、折りたたまれた状態でスライドテーブル１０６の上方に台座１０１に固定されている。
【００４３】
そして、遊技者が操作部１０７の始動指示ボタン１０７ａを押下操作することにより、ショベル機構部１０３の掬い上げ動作の開始を入力すると、アーム１０３ａは、図４（ｂ）に示すように、ターンテーブル１０２底面に向けて運動する。先端のショベル１０３ｂはターンテーブル１０２の底面に達すると、ショベル１０３ｂによってターンテーブル１０２に配置された景品Ａを掬い上げる。この場合、ターンテーブル１０２上の景品Ａの配置は一様とは限らない。ショベル機構部１０３の動作は自動的に行われるので、始動指示ボタン１０７ａの操作のタイミングによって掬える景品Ａの数が変わるゲーム性が生じる。景品Ａを掬い上げたならば、アーム１０３ａは反転し図４（ａ）に示した元の待機位置に戻る。
【００４４】
そして、プレーヤが落下指示ボタン１０７ｂを押下操作すると、ショベル１０３ｂは円弧Ｕに沿って傾斜し、掬い上げた景品Ａを固定テーブル１０４上に落下させる。
【００４５】
固定テーブル１０４上には、スライドテーブル１０６がスライド運動している。その為、落下指示ボタン１０７ｂの操作のタイミングによっては、必ずしも景品Ａが固定テーブル１０４に落下するとは限らない。上手く固定テーブル１０４上に落下した景品Ａは、スライドテーブル１０６のスライド運動によって景品払出口１０５方向に押される。そして、景品Ａが固定テーブル１０４の端まで押されて、景品払出口１０５に落下すると、遊技者はその景品Ａを景品払出口１０５から連通する景品取出口１０９より取り出すことができる。
【００４６】
尚、アーム１０３ａのリンク構造及び駆動方法は公知の技術を適宜利用するものとし、特に限定されない。また、ショベル１０３ｂはモータで傾斜させるに限らず、その下部を開放して景品Ａを落下させる構成であっても良いのは勿論である。
【００４７】
＜景品交換手順＞
次に、本考案の実施例１である遊技装置１００における景品交換手順について説明する。
【００４８】
図５は、本考案の実施例１である遊技装置１００おける景品交換手順について説明した図である。図５（ａ）は、本考案の実施例１である遊技装置１００のカバー１の開口蓋部の開錠を説明した図であり、図５（ｂ）は、本考案の実施例１である遊技装置１００のカバー１の開口蓋部を開いた状態を説明した図であり、図５（ｃ）は、本考案の実施例１である遊技装置１００のカバー１の開口部１１からの景品補充を説明した図である。
【００４９】
図５（ａ）に示すように、遊技装置１００の管理者は、鍵Ｂを錠１２ｃに挿入することにより開錠した後、図５（ｂ）に示すように、鍵Ｂを摘んだまま蓋本体部１２ａを持ち上げて開く。
【００５０】
そして、図５（ｃ）に示すように、遊技装置１００の管理者は、景品Ａを手に持った状態で開口部１１から手を挿入し、遊技空間内の所望の位置に景品Ａを配置する。
【００５１】
これにより、遊技装置１００の管理者は、景品補充の際、カバー１全体を取り外したり、開いたりする必要がなくなるので、遊技者にプレイを中断させることなく、遊技空間内の所望の位置に景品を配置することができる。より具体的には、遊技装置１００の管理者は、ターンテーブル１０２上、及びスライドテーブル１０６上の所望の位置に景品を配置したり、ターンテーブル１０２上、及びスライドテーブル１０６上に配置された景品の向きを所望の向きに変更して再配置したりすることができる。
【実施例２】
【００５２】
本考案の実施例１では、円形の開口部１１を開閉自在になるように取り付けられた開口蓋部１２を有する光透過性のカバー１を備えた遊技装置１００を例に挙げて説明した。
【００５３】
本考案の実施例２では、矩形の開口部を開閉自在になるように取り付けられた開口蓋部を有する光透過性のカバーを備えた遊技装置を例に挙げて説明する。
【００５４】
図６は、本考案の実施例２である遊技装置２００に備えられたカバーの斜視図である。
【００５５】
本考案の実施例２である遊技装置２００が備える構成のうち、カバー以外の構成については、本考案の実施例１である遊技装置１００が備える構成と同一であるので、説明を省略する。
【００５６】
図６に示すように、本考案の実施例２である遊技装置２００に備えられたカバー２は、光透過性の部材で遊技空間全体を覆うドーム形状に形成され、このドーム形状の外周方向における操作部１０７から所定距離離れ、かつターンテーブル１０２近傍の位置に設けられた矩形の開口部２１を開閉自在になるように取り付けられた開口蓋部２２を有する。
【００５７】
開口蓋部２２は、矩形の開口部２１を覆うように配置される矩形の蓋本体部２２ａと、カバー２の表面であり、開口部２１の外周に沿った位置に固定されると共に、蓋本体部２２ａの一辺を回動軸として蓋本体部２２ａを回動自在に支持する支持部２２ｂとを備えている。なお、蓋本体部２２ａは、光透過性の部材で形成されている。
【００５８】
また、開口部２１の４辺のうち支持部２２ｂが対向する辺には錠２２ｃが設けられており、蓋本体部２２ａに設けられた錠２２ｃとが接合して施錠することができる。遊技装置２００の管理者は、錠２２ｃの開錠後に、開錠した鍵を摘んだまま持ち上げることにより蓋本体部２２ａを開閉させることができる。
【００５９】
このように、カバー２は、光透過性の部材で遊技空間全体を覆うドーム形状に形成され、このドーム形状の外周方向における操作部１０７から所定距離離れ、かつターンテーブル１０２近傍の位置に設けられた開口部２１を開閉自在になるように取り付けられた開口蓋部２２を有するので、遊技空間を覆うカバー２を開くことなく、遊技装置２００の管理者は、開口部２１から手を挿入することができる。これにより、遊技装置２００の管理者は、遊技者にプレイを中断させることなく、遊技空間内の所望の位置に景品を配置することができる。
【００６０】
また、カバー２は、開口部２１が矩形になるように成型されているので、加工が容易であり、コスト低減に寄与することができる。
【実施例３】
【００６１】
本考案の実施例１では、開口部１１と開口蓋部１２とからなる１組の開口扉部１０を有する光透過性のカバー１を備えた遊技装置１００を例に挙げて説明した。
【００６２】
しかしながら、本発明に係る遊技装置を構成するカバーが有する開口扉部は、１組に限らず、２組、又は４組の開口扉部を備える構成としてもよい。
【００６３】
本考案の実施例３では、４組の開口扉部を備える光透過性のカバーを備えた遊技装置を例に挙げて説明する。
【００６４】
図７は、本考案の実施例３である遊技装置３００の平面図である。
【００６５】
なお、本考案の実施例３である遊技装置３００が備える構成のうち、カバー以外の構成については、本考案の実施例１である遊技装置１００が備える構成と同一であるので、説明を省略する。
【００６６】
図７に示すように、本考案の実施例３である遊技装置３００に備えられたカバー３は、開口扉部１０ａ〜１０ｄが、２組づつドーム形状の外周方向において対向する位置に備えられている。
【００６７】
具体的には、開口扉部１０ａと開口扉部１０ｃとが、カバー３の外周方向において対向する位置、即ち回転軸Ｐを通る線Ｖ上に備えられており、開口扉部１０ｂと開口扉部１０ｄとが、カバー３の外周方向において対向する位置、即ち回転軸Ｐを通る線Ｗ上に備えられている。なお、開口扉部１０ａ〜１０ｄは、それぞれ本考案の実施例１である遊技装置１００が備える開口扉部１０と同様に、カバー３の外周方向における操作部１０７から所定距離離れた位置であり、かつターンテーブル１０２近傍の位置に備えられている。
【００６８】
このように、カバー３が、開口部と開口蓋部とを１組の開口扉部として、４組の開口扉部１０ａ〜１０ｄを備え、２組づつドーム形状の外周方向において対向する位置に備えられているので、管理者はカバー３を開くことなく、開口扉部１０ａ〜１０ｄから手を挿入することができ、遊技空間の様々な位置に景品を配置することができる。
【００６９】
なお、本考案の実施例３では、４組の開口扉部を備える構成としたが、２組の開口扉部を備える構成としてもよいのは勿論である。
【図面の簡単な説明】
【００７０】
【図１】本考案の実施例１である遊技装置の斜視図である。
【図２】本考案の実施例１である遊技装置を構成するターンテーブル部分の構成を示した平面図である。
【図３】本考案の実施例１である遊技装置を構成するカバーの拡大図である。
【図４】（ａ）は、本考案の実施例１である遊技装置を構成するショベル機構部の待機位置を示した図であり、（ｂ）は、本考案の実施例１である遊技装置を構成するショベル機構部の稼働位置を示した図である。
【図５】（ａ）は、本考案の実施例１である遊技装置１００のカバー１の開口蓋部の開錠を説明した図であり、（ｂ）は、本考案の実施例１である遊技装置１００のカバーの開口蓋部を開いた状態を説明した図であり、（ｃ）は、本考案の実施例１である遊技装置のカバーの開口部からの景品補充を説明した図である。
【図６】本考案の実施例２である遊技装置に備えられたカバーの斜視図である。
【図７】本考案の実施例３である遊技装置の平面図である。
【符号の説明】
【００７１】
１，２，３…カバー
１０，１０ａ〜１０ｄ…開口扉部
１１，２１…開口部
１２，２２…開口蓋部
１２ａ，２２ａ…蓋本体部
１２ｂ，２２ｂ…支持部
１２ｃ，２２ｃ…錠
１００，２００，３００…遊技装置
１０１…台座
１０２…ターンテーブル
１０３…ショベル機構部
１０４…固定テーブル
１０５…景品払出口
１０６…スライドテーブル
１０７…操作部
１０９…景品取出口
【図１】
0003145523.tif 000003
【図２】
0003145523.tif 000004
【図３】
0003145523.tif 000005
【図４】
0003145523.tif 000006
【図５】
0003145523.tif 000007
【図６】
0003145523.tif 000008
【図７】
0003145523.tif 000009